(57)【要約】【課題】  施療終了後の安全を確保することができるとともに使用者が起き上がりにくくなってしまうことのない椅子式施療装置を提供する。【解決手段】  座部１１と、リクライニングが可能な背凭れ部１２と、この背凭れ部１２を傾動させるモータＭと、エアバッグＡ１ないしＡ５とを備えた椅子式施療装置であって、施療終了後に背凭れ部１２がホームポジションへ戻されるとともにリクライニングの動作が禁止される。【選択図】  図１
2005137703.tif 000002
【特許請求の範囲】
【請求項１】
座部と、リクライニングが可能な背凭れ部と、この背凭れ部をリクライニングさせるリクライニング手段と、施療手段とを備えた椅子式施療装置であって、
施療終了後に前記背凭れ部がホームポジションへ戻るとともにリクライニングの動作が禁止されることを特徴とする椅子式施療装置。
【請求項２】
座部と、リクライニングが可能な背凭れ部と、この背凭れ部をリクライニングさせるリクライニング手段と、施療手段とを備えた椅子式施療装置であって、
前記背凭れ部がホームポジションへ戻されてから所定時間が経過後に、リクライニングの動作が禁止されることを特徴とする椅子式施療装置。
【発明の詳細な説明】
【技術分野】
【０００１】
この発明は、背凭れ部がリクライニング可能となっている椅子式施療装置に関する。
【背景技術】
【０００２】
従来から、座部と、リクライニングが可能な背凭れ部と、座部や背凭れ部に設けたマッサージ用のエアバッグ（施療用エアバッグ）とを備えた椅子式施療装置が知られている（特許文献１参照）。
【０００３】
かかる椅子式施療装置は、各エアバッグが膨縮することにより、肩、背中、腰、臀部、腿等の各部を施療することができるようになっている。また、背凭れ部を傾倒させることにより、背中や腰の施療をより効果的に行うことができるようになっている。
【特許文献１】特開平９−６６０８７号公報
【発明の開示】
【発明が解決しようとする課題】
【０００４】
しかしながら、このような椅子式施療装置にあっては、施療が終了した後でも背凭れ部のリクライニングの動作が可能となっているので、施療終了後に使用者がその施療装置から離れた後に、幼児などがリモートコントロール装置を悪戯して操作してしまうと背凭れ部が動作してしまう虞があり、安全上好ましいものではなかった。また、施療終了と同時にリクライニングの動作を禁止してしまうと、背凭れ部がリクライニングされている場合、背凭れ部はリクライニングしたままとなり、使用者は起き上がりにくくなってしまうという問題があった。
【０００５】
この発明の目的は、施療終了後の安全を確保することができるとともに使用者が起き上がりにくくなってしまうことのない椅子式施療装置を提供することにある。
【課題を解決するための手段】
【０００６】
請求項１の発明は、座部と、リクライニングが可能な背凭れ部と、この背凭れ部をリクライニングさせるリクライニング手段と、施療手段とを備えた椅子式施療装置であって、
施療終了後に前記背凭れ部がホームポジションへ戻るとともにリクライニングの動作が禁止されることを特徴とする。
【０００７】
請求項２の発明は、座部と、リクライニングが可能な背凭れ部と、この背凭れ部をリクライニングさせるリクライニング手段と、施療手段とを備えた椅子式施療装置であって、
前記背凭れ部がホームポジションへ戻されてから所定時間が経過後に、リクライニングの動作が禁止されることを特徴とする。
【発明の効果】
【０００８】
この発明によれば、施療終了後に背凭れ部がホームポジションへ戻されたときリクライニングの動作が禁止されるものであるから、使用者が起き上がりにくくなってしまうことがなく、しかもマッサージ終了後の安全を確保することができる。
【発明を実施するための最良の形態】
【０００９】
以下、この発明に係る椅子式の施療装置の一実施例を図面に基づいて説明する。
【実施例】
【００１０】
図１に示す椅子式の施療装置１０は、座部１１と、この座部１１の後ろに設けた背凭れ部１２と、座部１１の前に設けたオットマン２０と、座部１１の両側に設けたアームレスト部１４,１５と、座部１１の下側に設けられた給排気装置５０と、アームレスト１４に取り付けられたコイン投入ボックス１６と、各種の操作を行うリモートコントロール装置（リモコン）１００とを備えている。
【００１１】
コイン投入ボックス１６内には、所定のコインの投入によりタイマが立ち上がるコインタイマ１７（図２参照）が設けられている。
【００１２】
リモコン１００には、背凭れ部１２の傾動を調整するリクライニングスイッチＳ１と、各種のマッサージモードを設定するモード設定スイッチＳ２と、オットマン２０を回動させるオットマン用スイッチＳ３等が設けられている。リクライニングスイッチＳ１は、背凭れ部１２をアップ（起立）させるアップスイッチ部と、背凭れ部１２をダウン（傾倒）させるダウンスイッチ部とからなっている。
【００１３】
背凭れ部１２は、図示しないリクライニング機構により傾動可能となっており、リモコン１００のリクライニングスイッチＳ１の操作によりモータ（リクライニング手段）Ｍ（図２参照）が駆動されてリクライニング（傾動）していく。また、図１の実線で示す背凭れ部１２の位置がホームポジションであり、一番が起き上がった状態のときであり、必ずしも直角に起立した状態ではない。
【００１４】
また、背凭れ部１２には、図１に示すように肩用のエアバッグ（施療手段：マッサージ手段）Ａ１と、背中用のエアバッグ（施療手段：マッサージ手段）Ａ２と、腰用のエアバッグ（施療手段：マッサージ手段）Ａ３とが設けられている。
【００１５】
オットマン２０は、軸線Ｊ回りに回動可能となっており、エアバッグＢ（図２参照）の膨縮によって軸線Ｊ回りに上下に回動する。
【００１６】
また、オットマン２０は、脚部を入れる凹部２１,２１を有しており、各凹部２１の両側壁部２３にエアバッグ（施療手段：マッサージ手段）Ａ６〜Ａ９が設けられており、エアバッグＡ６〜Ａ９の膨縮により脹ら脛の施療を行うようになっている。
【００１７】
座部１１には、臀部用のエアバッグ（施療手段：マッサージ手段）Ａ４と、腿用のエアバッグ（施療手段：マッサージ手段）Ａ５とが設けられている。
【００１８】
給排気装置５０は、図２に示すように、エアーを給気するためのポンプ５１と、エアバッグＡ１〜Ａ９,Ｂを膨縮させるための電磁弁Ｅ１〜Ｅ８と、背凭れ部１２の傾動用のモータＭを駆動するモータ駆動回路５２と、リモコン１００の操作やコインタイマ１７の計時時間などに基づいて各電磁弁Ｅ１〜Ｅ８やモータ駆動回路５２を制御する制御装置５３等とを備えている。
【００１９】
制御装置５３は、リクライニングスイッチＳ１のアップスイッチ部が押されている間、モータ駆動回路５２を動作させてモータＭを正回転させて背凭れ部１２をアップ（起立）させていき、この背凭れ部１２がホームポジションに戻ったことを後述するリミットスイッチ５５が検知するとモータ駆動回路５２の動作を停止させてモータＭの回転を停止させる。また、リクライニングスイッチＳ１のダウンスイッチ部が押されている間、モータ駆動回路５２を動作させてモータＭを逆回転させて背凭れ部１２をダウン（リクライニング：傾倒）させていき、この背凭れ部１２が図１に示す鎖線位置に到達したことを後述するリミットスイッチ５６が検知するとモータ駆動回路５２の動作を停止させてモータＭの回転を停止させるようになっている。
【００２０】
各電磁弁Ｅ１〜Ｅ７は、開成すると各エアバッグＡ１〜Ａ９とポンプ５１とが連通して各エアバッグＡ１〜Ａ９が膨張していき、閉成されると各エアバッグＡ１〜Ａ９と外気とが連通されて各エアバッグＡ１〜Ａ９が収縮していくようになっている。
【００２１】
また、電磁弁Ｅ８は三方弁であり、弁が第１位置に切り換わるとエアバッグＢとポンプ５１とが連通してエアバッグＢが膨張し、第２位置に切り換わるとその連通路が閉成されてエアバッグＢが膨張した状態に維持され、第３位置に切り換わるとエアバッグＢは外気に連通されてエアバッグＢの排気が行われてエアバッグＢは収縮していくようになっている。
【００２２】
また、図２において、５５は背凭れ部１２がホームポジション（図１に実線で示す起立位置）に位置していることを検知するリミットスイッチ、５６は背凭れ部１２が図１に示す鎖線位置へ傾倒されたことを検知するリミットスイッチである。
［動  作］
次に、上記のように構成される椅子式の施療装置１０の動作を図３に示すタイムチャートを参照しながら説明する。なお、エアバッグＡ１〜Ａ９は収縮しており、各電磁弁Ｅ１〜Ｅ７は閉成され、電磁弁Ｅ８は第３位置に切り換わってエアバッグＢは収縮している。
【００２３】
先ず、コインボックス１６に所定のコインを投入する。このコインの投入によりコインタイマ１７が立ち上がるとともに給排気装置５０の電源が立ち上がり、リモコン１００の各種の操作が可能となる。そして、リモコン１００のモードスイッチＳ２を操作して所望のマッサージモード（施療モード）を設定し、リクライニングスイッチＳ１の操作によりモータ駆動回路５２が動作してモータＭを駆動し、このモータＭの駆動により背凭れ部１２の傾動が行われる。
【００２４】
そして、背凭れ部１２が所望の位置へリクライニングしたらリクライニングスイッチＳ１の操作を止めて、スタートスイッチ（図示せず）を押す。すると、コインタイマ１７が計時を開始していく。
【００２５】
一方、スタートスイッチが押されたことにより給排気装置５０のポンプ５１が駆動されるとともに各電磁弁Ｅ１〜Ｅ７が制御装置５３により制御されていく。例えば、エアバッグＡ１〜Ａ５がこの順番に膨縮されていく場合、電磁弁Ｅ１が開成されてエアバッグＡ１が膨張されていく。エアバッグＡ１が所定時間膨張されると、電磁弁Ｅ１は閉成され、エアバックＡ１が収縮されていく。
【００２６】
そして、エアバッグＡ１の収縮が行われると、電磁弁Ｅ２が開成されてエアバッグＡ２が膨張されていく。同様にして、各電磁弁Ｅ２〜Ｅ５が制御されて各エアバッグＡ２〜Ａ５の膨縮が行われていく。
【００２７】
コインタイマ１７の計時時間が所定時間になると、コインタイマ１７はタイムアップし、図３に示すように計時信号Ｇ１がＨレベルからＬレベルになり（時点ｔ１）、ポンプ５１の駆動が停止されるとともに膨張したエアバッグＡ１〜Ａ９が収縮されて設定された施療モードの施療が終了される。
【００２８】
一方、コインタイマ１７がタイムアップすると、制御装置５３からブザー信号Ｇ２が出力されて図示しないブザーが鳴る。そして、ブザーが約１秒間鳴ると（時点ｔ２）、制御装置５３がモータ駆動回路５２を動作させ、モータ駆動回路５２からモータＭを正転させるモータ駆動正転信号Ｇ３が出力されてモータＭが正転されていく。このモータＭの正転により背凭れ部１２が起立してホームポジションへ戻っていく。他方、背凭れ部１２が起立していくとき、ブザー信号Ｇ２が断続され、ブザーが断続音を鳴らしていく。
【００２９】
そして、モータＭの正転により背凭れ部１２がホームポジションに戻ると、ブザーの断続音が停止されるとともにリミットスイッチ５５がこれを検知してオンする（時点ｔ３）。このリミットスイッチ５５のオンにより、モータ駆動回路５２の動作が停止されるとともにブレーキ信号Ｇ４が出力されモータＭの正転が停止され、背凭れ部１２がホームポジションに停止されることになる。
【００３０】
他方、オットマン２０が軸線Ｊ回りに回動移動されていれば、エアバッグＢが収縮されて図１に示すホームポジションへ戻される。
【００３１】
背凭れ部１２がホームポジションに停止されてから所定時間Ｔ（約１０秒〜３０秒）が経過すると（時点ｔ４）、制御装置５３はリモコン１００のリクライニングスイッチＳ１の操作によるリクライニング信号の受け付け（入力）を禁止する。すなわち、背凭れ部１２のリクライニングの動作が禁止される。
【００３２】
このリクライニングの動作の禁止により、施療終了後の安全を確保することができ、しかも背凭れ部１２がホームポジションに移動されるので、施療終了後に使用者は施療装置１０から起き上がり易いものとなる。
【００３３】
ところで、背凭れ部１２がホームポジションに停止されてから所定時間Ｔの間では背凭れ部１２のリクライニングが可能となるが、これは背凭れ部１２がホームポジションに戻った際に、例えば浴衣などが座部１１と背凭れ部１２との間に挟まれた場合に、背凭れ部１２を傾動させることにより挟まった浴衣などを取り外せるようにしたものである。また、施療終了後に背凭れ部１２を倒して使用したい場合があるからである。
【００３４】
上記実施例では、背凭れ部１２がホームポジションに停止されてから所定時間Ｔ後に、背凭れ部１２のリクライニングの動作を禁止しているが、背凭れ部１２がホームポジションに停止された時点でリクライニングの動作を禁止してもよい。また、コインボックス１６にコインを投入することにより施療が行える椅子式の施療装置について説明したが、コインボックス１６を備えていない通常の椅子式の施療装置であってもよい。
【図面の簡単な説明】
【００３５】
【図１】この発明に係る椅子式の施療装置の外観を示した斜視図である。
【図２】図１に示す施療装置の給排気装置の構成を示したブロック図である。
【図３】施療装置の動作を示したタイムチャートである。
【符号の説明】
【００３６】
１０            施療装置
１１            座部
１２            背凭れ部
Ａ１〜Ａ５      エアバッグ（施療手段）
Ｍ              モータ（リクライニング）
【図１】
2005137703.tif 000003
【図２】
2005137703.tif 000004
【図３】
2005137703.tif 000005